(57)【特許請求の範囲】
【請求項１】
湿し溶液を正確に計量するための装置を有する湿し装置において、
印刷機内でローラーをプレートシリンダに隣接して支持するための第１サイドフレーム及び第２サイドフレームと、
前記プレートシリンダと平行な関係になるように、前記第１及び第２サイドフレームによって回転可能に支持されている第１ローラーと、
前記第１サイドフレームによって回転可能に支持されている第１偏心カラーと、前記第２サイドフレームによって回転可能に支持されている第２偏心カラーとによって回転可能に支持されている第２ローラーであって、前記第２ローラーは前記第１ローラーに隣接しており、前記偏心カラーを調整して、前記第１及び第２ローラーの少なくとも一方を他方に向けて、又はそこから離れる方向に動かして、前記湿し装置内の湿し溶液を計量することができるようになっている、第２ローラーと、を備えており、改良点として、
前記第１偏心カラーを回転させるための第１調整装置と、前記第２偏心カラーを回転させるための第２調整装置とを備えており、前記各調整装置は、
前記偏心カラーの１つに取り付けられている第１端部と、第２端部とを有するアームと、
前記サイドフレームに取り付けられている取り付けブロックと、
前記アームの前記第２端部と前記取り付けブロックの内の一方と螺合している第１端部と、前記アームの前記第２端部と前記取り付けブロックの内の他方に回転可能に取り付けられている第２端部とを有する調整シャフトと、
前記第１及び第２ローラーの間のスペースを調節するために、前記調節シャフトの前記第２端部に取り付けられた調整ダイヤルと、
前記取り付けブロックに取り付けられ、前記調整ダイヤルの肩部に係合する戻り止め噛み合い装置であって、該戻り止め噛み合い装置と前記肩部に含まれる戻り止めとが係合するとき、前記湿し装置の増分調整がなされる戻り止め噛み合い装置とを含んでいる、湿し装置。
【請求項２】
前記第１ローラーは、前記プレートシリンダと接触できるインク着けローラーであり、前記第２ローラーは計量ローラーである、請求項１に記載の湿し装置。
【請求項３】
前記インク着けローラーと前記計量ローラーの端部分に押し付けられて、前記両ローラーの間のニップの上方に湿し溶液リザーバを形成する端部シールを更に含んでいる、請求項２に記載の湿し装置。
【請求項４】
前記湿し装置内に回転可能に支持されており、前記第１ローラーに押し付けられ、印刷運転中に前記プレートシリンダと接触することのできるインク着けローラーを更に含んでいる、請求項１に記載の湿し装置。
【請求項５】
前記第１ローラーは計量ローラーであり、前記第２ローラーはパンローラーである、請求項４に記載の湿し装置。
【請求項６】
前記湿し装置内に回転可能に支持されており、前記第２ローラーに押し付けられ、印刷運転中に前記プレートシリンダと接触することのできるインク着けローラーを更に含んでいる、請求項１に記載の湿し装置。
【請求項７】
前記第２ローラーは計量ローラーであり、前記第１ローラーはパンローラーである、請求項６に記載の湿し装置。
【請求項８】
前記取り付けブロックは、前記サイドフレームに回転可能に取り付けられている、請求項１に記載の湿し装置。
【請求項９】
前記調整シャフトの前記第１端部は、前記アームの前記第２端部に取り付けられているねじ付ピボットと螺合し、前記調整シャフトの前記第２端部に近接している部分は、前記取り付けブロックに回転可能に取り付けられており、調整ダイヤルが、前記第２ローラーを前記第１ローラーに向けて、又はそこから離れる方向に調整するために、前記調整シャフトの前記第２端部に取り付けられている、請求項８に記載の湿し装置。
【請求項１０】
前記取り付けブロックに取り付けられ、等間隔に配置された４つの戻り止めを有する前記調整ダイヤルの肩部に係合されている戻り止め噛み合い装置を更に含んでおり、前記調整装置は、更に、前記戻り止めの約６４回のクリックによって、前記第１及び第２ローラーが、互いに向けて、又はそこから離れる方向に、約０．０２インチ動くように構成されている、請求項９に記載の湿し装置。
【請求項１１】
前記湿し装置はパン式連続湿し装置である、請求項１に記載の湿し装置。
【請求項１２】
前記湿し装置はシール式連続湿し装置である、請求項１に記載の湿し装置。
【請求項１３】
湿し溶液を正確に計量するための装置を有する湿し装置において、
印刷機内でローラーをプレートシリンダに隣接して支持するための第１サイドフレーム及び第２サイドフレームと、
前記プレートシリンダと平行な関係に、前記第１及び第２サイドフレームによって回転可能に支持されている第１ローラーと、
前記第１及び第２サイドフレームによって回転可能に支持されている偏心カラーによって回転可能に支持されている第２ローラーであって、前記第２ローラーは前記第１ローラーに隣接しており、前記第２ローラーは前記第１ローラーに対して調節可能であり、それにより、１つの位置で、前記第２ローラーは前記第１ローラーに調整可能に押し付けられる、第２ローラーと、を備えており、改良点として、
前記第１サイドフレームによって支持されている前記偏心カラーを回転させるための第１調整装置と、前記第２サイドフレームによって支持されている前記偏心カラーを回転させるための第２調整装置とを備えており、前記各調整装置は、
前記偏心カラーの１つに取り付けられている第１端部と、第２端部とを有するアームと、
前記アームの前記第２端部を調整して前記偏心カラーを回転させ、前記第２ローラーを、前記第１ローラーに向けて、又はそこから離れる方向に動かすための手段であり、調節手段は前記第１及び第２ローラーの間に所定位置をもたらすように形成されている手段と、
前記第１及び第２ローラーの各端部に配置されたシールであり、前記協働している第１及び第２ローラーの前記シールとそれぞれの端部の各々は、前記第１及び第２ローラーの間のニップの上方に湿し溶液リザーバを形成するシールと、を含んでいる、湿し装置。
【請求項１４】
前記第１ローラーは、印刷運転中に、前記プレートシリンダと接触することのできるインク着けローラーであり、前記第２ローラーは計量ローラーである、請求項１３に記載の湿し装置。
【請求項１５】
前記インク着けローラーと前記計量ローラーの端部分に押し付けられて、前記両ローラーの間のニップの上方に湿し溶液リザーバを形成する端部シールを更に含んでいる、請求項１４に記載の湿し装置。
【請求項１６】
前記湿し装置内に回転可能に支持されており、前記第１ローラーに押し付けられ、印刷運転中に前記プレートシリンダと接触することのできるインク着けローラーを更に含んでいる、請求項１３に記載の湿し装置。
【請求項１７】
前記第１ローラーは計量ローラーであり、前記第２ローラーはパンローラーである、請求項１６に記載の湿し装置。
【請求項１８】
前記湿し装置内に回転可能に支持されており、前記第２ローラーに押し付けられ、印刷運転中に前記プレートシリンダと接触することのできるインク着けローラーを更に含んでいる、請求項１３に記載の湿し装置。
【請求項１９】
前記第２ローラーは計量ローラーであり、前記第１ローラーはパンローラーである、請求項１８に記載の湿し装置。
【請求項２０】
前記湿し装置はパン式連続湿し装置である、請求項１３に記載の湿し装置。
【請求項２１】
前記湿し装置はシール式連続湿し装置である、請求項１３に記載の湿し装置。
【請求項２２】
湿し溶液を正確に計量するための装置を有する湿し装置において、
印刷機内でローラーをプレートシリンダに隣接して支持するための第１サイドフレーム及び第２サイドフレームと、
前記プレートシリンダと平行な関係に、且つこれに接触できるように、前記第１及び第２サイドフレームによって回転可能に支持されているインク着けローラーと、
前記第１及び第２サイドフレームによって回転可能に支持されている偏心カラーによって回転可能に支持されている計量ローラーであって、前記計量ローラーは前記インク着けローラーに隣接して配置されており、前記両ローラーの間にニップが調整可能に形成されるようになっている、計量ローラーと、
前記インク着けローラーと前記計量ローラーの端部分に押し付けられ、前記両ローラーの間の前記ニップの上方に湿し溶液リザーバを形成する端部シールと、を備えており、改良点として、
偏心カラーを回転させるための調整装置を備えており、前記各調整装置は、
前記偏心カラーの１つに取り付けられている第１端部と、第２端部とを有するアームと、
前記サイドフレームに取り付けられている取り付けブロックと、
前記アームの前記第２端部と前記取り付けブロックの内の一方と螺合している第１端部と、前記アームの前記第２端部と前記取り付けブロックの内の他方に回転可能に取り付けられるてい第２端部とを有する調整シャフトと、
前記計量ローラー及び前記インク着けローラーの間のスペースを調節するために、前記調節シャフトの前記第２端部に取り付けられた調整ダイヤルと、
前記取り付けブロックに取り付けられ、前記調整ダイヤルの肩部に係合する戻り止め噛み合い装置であって、該戻り止め噛み合い装置と前記肩部に含まれる戻り止めとが係合するとき、前記湿し装置の増分調整がなされる戻り止め噛み合い装置とを含んでいる、湿し装置。
【請求項２３】
前記取り付けブロックは、前記サイドフレームに回転可能に取り付けられている、請求項２２に記載の湿し装置。
【請求項２４】
前記調整シャフトの前記第１端部は、前記アームの前記第２端部に取り付けられているねじ付ピボットと螺合し、前記調整シャフトの前記第２端部に近接している部分は、前記取り付けブロックに回転可能に取り付けられており、調整ダイヤルが、前記計量ローラーを前記インク着けローラーに向けて、又はそこから離れる方向に調整するために、前記調整シャフトの前記第２端部に取り付けられている、請求項２２に記載の湿し装置。
【請求項２５】
前記取り付けブロックに取り付けられ、等間隔に配置された４つの戻り止めを有する前記調整ダイヤルの肩部に係合されている戻り止め噛み合い装置を更に含んでおり、前記調整装置は、更に、前記戻り止めの約６４回のクリックによって、前記計量ローラーが、前記インク着けローラーに向けて、又はそこから離れる方向に、約０．０２インチ動くように構成されている、請求項２４に記載の湿し装置。
【請求項２６】
湿し装置内で湿し溶液を正確に計量するための装置用の構成要素のキットであって、前記湿し装置は、印刷機内でローラーをプレートシリンダに隣接して支持するための第１サイドフレーム及び第２サイドフレームと、前記プレートシリンダと平行な関係に、前記第１及び第２サイドフレームによって回転可能に支持されている第１ローラーと、前記第１及び第２サイドフレームによって回転可能に支持されている偏心カラーによって回転可能に支持されている第２ローラーであって、前記第２ローラーは、前記第１ローラーに隣接しており、前記第１ローラーに調整可能に押し付けることができるようになっている、第２ローラーと、前記第１及び第２ローラーの各端部に配置されたシールであって、前記キットを組み立てるとき、前記協働している第１及び第２ローラーの前記シールとそれぞれの端部の各々は、前記第１及び第２ローラーの間のニップの上方に湿し溶液リザーバを形成するシールと、を含んでいる、キットにおいて、
前記キットの構成要素を入れるための梱包材と、
前記偏心カラーを回転させるための調整装置であって、前記各調整装置は、
前記偏心カラーの１つに取り付けるための第１端部と、第２端部とを有するアームと、
前記サイドフレームに取り付けることのできる取り付けブロックと、
前記アームの前記第２端部と前記取り付けブロックの内の一方と螺合させることのできる第１端部と、前記アームの前記第２端部と前記取り付けブロックの内の他方に回転可能に取り付けることのできる第２端部とを有する調整シャフトと、
前記第１及び第２ローラーの間のスペースを調節するために、前記調節シャフトの前記第２端部に取り付けられた調整ダイヤルと、
前記取り付けブロックに取り付けられ、前記調整ダイヤルの肩部に係合する戻り止め噛み合い装置であって、該戻り止め噛み合い装置と前記肩部に含まれる戻り止めとが係合するとき、前記湿し装置の増分調整がなされる戻り止め噛み合い装置とを含んでいる、調整装置と、を備えているキット。
【請求項２７】
ねじ付ピボットと調整可能なダイヤルを更に含んでおり、前記調整シャフトの前記第１端部は、前記アームの前記第２端部に取り付けることのできるねじ付ピボットと螺合させることができ、前記調整シャフトの前記第２端部に近接している部分は、前記取り付けブロックに回転可能に取り付けることができ、前記調整ダイヤルは、前記第２ローラーを前記第１ローラーに向けて、又はそこから離れる方向に調整するため、前記調整シャフトの前記第２端部に取り付けることができるようになっている、請求項２６に記載のキット。
【請求項２８】
前記キットの構成要素を入れるための梱包材は、箱、埋め草、気泡袋、ブリスターボード、及び収縮包装シートから成るグループから選択される、請求項２６に記載のキット。
【請求項２９】
前記各調整装置は、同一構成要素を含んでいる、請求項２６に記載のキット。
【請求項３０】
前記キットの前記各調整装置は、別々に梱包されている、請求項２６に記載のキット。
【請求項３１】
前記湿し装置はシール式連続湿し装置である、請求項１３に記載の湿し装置。
【請求項３２】
前記湿し装置はシール式連続湿し装置である、請求項２２に記載の湿し装置。
【請求項３３】
前記湿し装置はシール式連続湿し装置である、請求項２６に記載のキット。
【発明の詳細な説明】
【技術分野】
【０００１】
本発明は、概括的には、オフセットリソグラフィー印刷機内のプレートシリンダへの湿し溶液を正確に計量するための装置を有する湿し装置に関しており、より厳密には、オフセットリソグラフィー印刷プレート上に堆積させる湿し溶液の膜を正確に制御するために、印刷作業員が、ローラーを、隣接するローラーに向けて、又はそこから離れる方向に細かく調整できるように構成されている装置を有する湿し装置に関する。
【背景技術】
【０００２】
オフセットリソグラフィー印刷法を利用している印刷機では、通常、プレートの無画像領域、従って、印刷された用紙の無画像領域を確実にインクの無い状態に保つために、印刷プレートに湿し溶液を塗布するための湿し装置を必要とする。
【０００３】
一般的に、オフセットリソグラフィー印刷機には、インク出しローラー式湿し装置と連続式湿し装置という２つの型式の湿し装置が用いられている。
インク出しローラー式湿し装置は、印刷機のプレートシリンダに押し付けられ、プレートシリンダ（の印刷速度）と同じ速度で回転する少なくとも１つのインク着けローラーと、パンから湿し溶液を拾い上げるために印刷速度より低速で回転するパンローラーと、インク着けローラーとパンローラーの間で前後にインクを送るインク出しローラーとを含んでいる。印刷機製造業者によって今も時々販売されているが、インク出しローラー式湿し装置は、均一な湿し溶液の膜を印刷プレートに供給できず、従ってインクと水のバランス及びそれに関連する全ての印刷条件が不完全になるので、効率的ではない。
【０００４】
連続式湿し装置には、基本的にパン式連続湿し装置とシール式連続湿し装置の２つの型式がある。パン式連続湿し装置には様々な構成があるが、概括的には、プレートシリンダに押し付けられ、印刷速度で回転する少なくとも１つのインク着けローラーと、インク着けローラーに押し付けられ、印刷速度で回転する計量ローラーと、計量ローラーに押し付けられ、湿し溶液を拾い上げるためパン内に配置されているパンローラーとを含んでいると言うことができる。湿し溶液は、印刷中にパンに供給される。幾つかの構成では、パンローラーは、減速歯車又は調整可能な駆動モーターを使用して印刷速度よりも低速で回される。代表的なパン式連続湿し装置は、Ｄａｈｌｇｒｅｎへの米国特許第３，１６８，０３７号と、ＭａｃＣｏｎｎｅｌｌらへの米国特許第５，１５８，０１７号に開示されており、両特許を参考文献としてここに援用する。
【０００５】
シール式連続湿し装置は、概括的には、プレートシリンダに対して押し付けられ、印刷速度で回転する少なくとも１つのインク着けローラーと、インク着けローラーに押し付けられ、印刷速度で回転する計量ローラーとを含んでいると言うことができる。シールは、インク着けローラーと計量ローラーの端部に設けられ、両ローラーの間のニップの上方に湿し溶液用のリザーバを形成している。湿し溶液は、印刷中にリザーバに供給される。代表的なシール式連続湿し装置は、Ｆｕｇｍａｎらへの米国特許第３，７６９，９０９号と、Ｌｏｕｄｏｎへの米国特許第４，４５５，３９８号に開示されており、両特許を参考文献としてここに援用する。
【０００６】
インク出しローラー式湿し装置と比べると、連続式湿し装置は、プレートに比較的均一な湿し溶液の膜を提供し、従ってインクと水のバランスが大幅に改良されるという優れた能力を備えているので好ましい。
【０００７】
連続式湿し装置、特にパン式連続湿し装置は、作業員がローラーを整列できるようにする多数の調整部を含んでいるので、湿し装置は、プレートシリンダに均一な湿し溶液の膜を提供することができる。計量ローラーと隣接するローラーの間は、湿し溶液の膜が出て行く場所なので、特に調整が重要である。パン式連続湿し装置では、湿し溶液の膜はパンローラーと計量ローラーの間から出て行き、シール式連続湿し装置では、湿し溶液の膜は計量ローラーとインク着けローラーの間から出て行くと言うことができる。しかしながら、これらの湿し装置の調整は雑で、結果的に印刷品質の落ちることが多い。加えて、印刷運転中に、印刷作業員が調整部に常にアクセスできるわけではない（例えば、安全ガードされている）。更に、調整には工具が必要なことが多く、従って印刷機が回転しているときに調整を行うのは危険である。更に、印刷機が見本の用紙を印刷している間に印刷運転の微調整を行うことになるので、湿し装置の調整を行う必要がある度に印刷機を停止しなければならない場合、印刷作業員の効率と印刷作業の品質は悪化する。
【０００８】
当業者にはよく理解頂けるように、印刷機内で湿し装置が供給している湿し溶液の量を作業員が調整しなければならないようにする変数は、数多くある。これらの変数には、印刷作業と印刷作業の間及び印刷作業中の雰囲気温度の変化；印刷中の印刷機の温度の変化（例えば、印刷速度が高いと或る種の印刷機の部品が高温になる）；インクの粘着性と粘度；貯蔵容器溶液の品種と濃度；印刷する紙の種類（例えば、ＮＣＲ紙は溶液を非常に良く吸収するが、被覆紙は溶液をそれほど吸収しない）；湿し装置が取り付けられている印刷機の印刷ヘッド；印刷作業の実行時間長；印刷機のローラーの使用年数と状態；印刷機の使用年数と状態；作業員のインク流れ調整の経験；作業員のローラー圧設定の経験；使用する印刷プレートの種類（例えばアルミニウム、ポリエステル）が含まれる。湿し装置の調整、特に微調整の難しさは、これらの変数を克服する作業員の能力を著しく妨害する。
【０００９】
当該技術では、計量ローラーと調整ローラー（例えば、インク着けローラー、パンローラー、中間ローラー）の間の調整を行うに際し現在の装置に付帯する問題を取り除く調整装置を備えた湿し装置に対して、需要があるのは明らかである。
【特許文献１】米国特許第３，１６８，０３７号
【特許文献２】米国特許第５，１５８，０１７号
【特許文献３】米国特許第３，７６９，９０９号
【特許文献４】米国特許第４，４５５，３９８号
【発明の開示】
【課題を解決するための手段】
【００１０】
本発明は、湿し装置内の湿し溶液を正確に計量するための装置を有する湿し装置を開示している。湿し装置は、印刷機内でローラーをプレートシリンダに隣接して支持するための第１サイドフレームと第２サイドフレームを含んでいる。インク着けローラーは、プレートシリンダと平行な関係に、且つ印刷運転の間にプレートシリンダと接触できるように、第１及び第２サイドフレームで回転可能に支持されている。計量ローラーは、第１及び第２サイドフレームで回転可能に支持されている偏心カラーによって、回転可能に支持されている。計量ローラーはインク着けローラーに隣接して配置されているので、両者の間にニップが形成される。インク着けローラーと計量ローラーの端部にシールが押し付けられ、両者の間に湿し溶液リザーバが形成されている。印刷運転の間に、湿し溶液がリザーバに供給される。
【００１１】
偏心カラーを調整するための調整装置が含まれている。各調整装置は、第１端部と第２端部を有するアームを含んでいる。第１端部は偏心カラーに取り付けられており、アームを用いて偏心カラーを回転させ、計量ローラーを、インク着けローラーに向けて、又はインク着けローラーから離れる方向に動かすことができるようになっている。アームの第２端部は、ねじ付ピボットを含んでいる。取り付けブロックは、サイドフレームに回転可能に取り付けられている。調整シャフトは、ねじ付ピボットと螺合する第１端部と、取り付けブロックに回転可能に取り付けられている他端部を有している。調整シャフトを回転させると、計量ローラーを、インク着けローラーに向けて、又はインク着けローラーから離れる方向に動かすことができる。調整装置は、湿し装置内の湿し溶液を正確に計量することができる。
【００１２】
湿し溶液を正確に計量するための調整装置を有する湿し装置のこの他の実施形態と特徴は、以下の詳細な説明を図面と関連付けて読めば、容易に明らかになるであろう。
【発明を実施するための最良の形態】
【００１３】
本発明が属する技術分野の業者が、ここに説明し請求する本願発明をどの様に作り使用するかを容易に理解できるように、本発明の実施形態について、図面を参照しながら詳細に説明する。
【００１４】
図面では、同じ参照番号は本発明の同様の構造要素を示しており、図１に、プレートシリンダへの湿し溶液を正確に計量するための調整装置を有するシール式連続湿し装置１８を含む単一カラーヘッド印刷機１０を示している。
【００１５】
印刷機１０は、オフセットリソグラフィー印刷に用いられる型式の印刷機であり、本発明を容易に描くため非常に単純化して示している。当業者には理解頂けるように、オフセットリソグラフィー印刷機を正確に描くには、数多くの追加部品（例えば、ブランケットシリンダ、刷りシリンダ、インク付けローラー、ローラーハンガー、シリンダ駆動モーターと伝動装置、紙取り扱い機構、安全ガードなど）が必要である。
【００１６】
印刷機１０は、近位サイドフレーム１２と遠位サイドフレーム１４を含んでおり、両者の間にプレートシリンダ１６が支持されている。エッチング又は何らかの処理を施して、印刷する画像を彫り込む印刷プレート、即ちアルミニウム又はポリエステルのシートが、プレートシリンダ１６の外径に取り付けられている。シール式連続湿し装置１８は、プレートシリンダ１６に隣接して、近位サイドフレーム１２と遠位サイドフレーム１４の間に取り付けられている。湿し装置１８は、湿し溶液を正確に計量するための或る実施形態の調整装置を含んでいる。この「装置」は、近位側構成要素１７と遠位側構成要素１９を含んでいる。以下の説明では、近位側構成要素１７を詳細に論じる。遠位側構成要素１９は、近位側構成要素１７と対称になっているので、特に論じない。
【００１７】
本発明と、その実施形態が如何にシール式連続湿し装置を改良できるかを更に良く理解頂くため、先行技術のシール式湿し装置について詳細に説明する。図２は、先行技術によるシール式連続湿し装置の、プレートシリンダ２２に隣接する一方の側を２０で示している。インク着けローラーギアを除いて、湿し装置の反対側は、図示している側と対称であり、従って特に説明はしない。湿し装置は、前方及び後方横断部材２６、２８で一体に連結されているサイドフレーム２４を含んでいる。インク着けローラー３２は、プレートシリンダ２２に取り付けられているプレート３０と接触して、両方のサイドフレーム２４の間に回転可能に支持されている。計量ローラー３４は、インク着けローラー３２と接触している。インク着けローラー３２は、鋼製の芯と弾性ジャケットを有している。計量ローラー３４は、インク着けローラー３２より幾らか長く、鋼製の芯の上にデルリンのスリーブを、そしてセラミックで被覆された鋼製の端部カラー３６を含んでいる。
【００１８】
インク着けローラー３２と計量ローラー３４の間には、ニップ３８が形成されている。シールキャリア４２で支持されているシール部材４０は、インク着けローラー３２の半径方向の端部、及び端部カラー３６の外周面と接触するように押し付けられている。両シール部材４０の間には、ニップ３８の上方の領域にリザーバ４６が形成され、その中に、ニップ３８を通して分配される前の湿し溶液が貯えられている。計量ローラー３４は、偏心カラー３７を使って、インク着けローラー３２に向けて、又はそこから離れる方向に調整して、リザーバ４６から流れ出る溶液を増減させるようになっている。調整するのに工具の必要な目盛付ダイヤル３９を使って、偏心カラー３７を回転させる。
【００１９】
インク着けローラー３２の半径方向端部表面を保護し、シール部材４０と各ローラーの間で確実に防水シールするために、シール部材４０は、テフロン（登録商標）の様な犠牲材料で作られている。湿し溶液供給機構（図示せず）は、湿し溶液を供給し、リザーバ４６内に所定の深さに維持する。
【００２０】
インク着けローラー３２と計量ローラー３４は、親水性／水受容表面を有している。計量ローラー３４は、実質的に、インク着けローラー３２ほど弾性的ではなく、従って、計量ローラー３４は、インク着けローラー３２の弾性ジャケットに、ニップ３８で幾らか入り込む傾向にある。プレートシリンダギア４８は、インク着けローラーギア５０を駆動して、プレート３０表面とインク着けローラー３２の表面を１対１の表面速度割合で移動させる。インク着けローラー３２は、ニップ３８での摩擦によって計量ローラー３４を駆動している。
【００２１】
図３−７では、湿し装置１８の近位サイドフレームの図を幾つか示している。先に述べたように、湿し装置１８は、シール式連続湿し装置である。従って、湿し装置１８は、図２に示し上で説明したシール式連続湿し装置２０と実質的に同様である。しかしながら、本発明の或る実施形態の詳細な説明をやり易くするため、幾つかの構成要素（例えば、シールキャリア４２、シール部材４０、前方横断部材２６、後方横断部材２８、インク着けローラーギア５０）を示していない。
【００２２】
インク着けローラー５２は、プレートシリンダ１６と平行な関係にあり且つ印刷運転中にプレートシリンダ１６と接触可能なように、近位サイドフレーム５４と遠位サイドフレーム（図１参照）によって（例えばボールベアリングで）回転可能に支持されている。計量ローラー５６は、近位サイドフレーム５４と遠位サイドフレーム（図１参照）で回転可能に支持されている偏心カラー５８によって（例えばボールベアリングで）回転可能に支持されている。計量ローラー５６はインク着けローラー５２に隣接して配置され、両者の間にニップ６０が形成されるようになっている。偏心カラー５８をサイドフレーム内で回すと、偏心カラー５８が軸「Ａ」の回りに回転し、偏心カラー内に機械加工されている、軸「Ｂ」を有するベアリングカップが、軸「Ａ」の回りにインク着けローラー５２に向かって（矢印「Ｃ」）動き、ニップ６０を通過することのできる湿し溶液の量が減り、或いは、インク着けローラー５２から離れる方向に（矢印「Ｄ」）動き、ニップ６０を通過することのできる湿し溶液の量が増す。
【００２３】
各サイドフレームは、偏心カラー５８を調整するための調整装置１７、１９を含んでいる。各調整装置は、第１端部と第２端部を有するアーム６２を含んでいる。アーム６２の第１端部は、偏心カラー５８の肩部に組み付けられ、ファスナー６４で所定の位置に締め付けられる割りリング構造を有している。アーム６２の第２端部には、ねじ付ピボット６５が配置される交差穴６３が設けられている。ねじ付ピボット６５は、交差穴６３内で自由に回転する。
【００２４】
近位及び遠位サイドアーム６２は、アーム６２が偏心カラー５８に締め付けられ、図３に示すように前方位置にあるときには、計量ローラー５６とインク着けローラー５２の間に間隙が形成されるような位置で、偏心カラー５８に固定されなければならない。この位置では、湿し装置１８が洗浄し易くなり、マルチヘッド印刷機での様に印刷運転中に特定の印刷ヘッドが使用されない場合は、ローラーが磨耗しなくなる。
【００２５】
交差穴６７を有する取り付けブロック６６は、サイドフレーム５４に、自由に回転するように取り付けられている。取り付けブロック６６は、保持リング６８で所定の位置にクリップ留めされている。取り付け方法は、取り付けブロック６６をサイドフレーム５４に「回転可能に取り付ける」と記述することができる。
【００２６】
調整シャフト７０は、ねじ付き第１端部７２、ねじ付き第２端部７４、カラー７６及び平滑な肩部７８を含んでいる。ねじ付き第１端部７２は、アーム６２の第２端部に取り付けられているねじ付ピボット６５内にねじ込まれている。ねじ付き第２端部７４は、カラー７６が取り付けブロック６６と接触し、平滑な肩部７８が取り付けブロック６６の交差穴６７に乗るように、取り付けブロック６６内の交差穴６７を貫通して伸張している。
【００２７】
調整ダイヤル８０は、円滑な部分８１とＶカット部分８３を有する肩部を含んでいる。肩部は、調節シャフト７０が取り付けブロック６６内で回転し続け、しかも、乗っている肩部７６と調整ダイヤル８０の間の所定の位置に拘束されるように、ゲージリング８２内の貫通穴を貫通して、調節シャフト７０のねじ付き第２端部７４上に螺合されている。これは、「調節シャフト７０」を取り付けブロック６６に「回転可能に取り付ける」と記述することもできる。（「回転可能に取り付けられる」「回転可能に支持される」などの用語をここではで広く用いており、その定義は、大部分、関係する構成要素の特定のアッセンブリ次第である。）調整ダイヤル８０は、ナットを調節シャフト７０のねじ付き第２端部７４上に螺合させることによって所定の位置にロックされ、ナットが調整ダイヤル８０の底部付近に行き着くと、ファスナー穴が２つの部品の間で整列するので、ファスナー８６でナット８４を調整ダイヤル８０に締め付ける。
【００２８】
ばねサポート８８は、ファスナー９０で取り付けブロック６６に取り付けられている。ばねサポート８８は、調整装置を調整するときにゲージリング８２の数字と整列させるためのポインター８９を含んでいる。ゲージ条片９２は、ばねサポート８８と取り付けブロック６６の間に挟まれている。ゲージ条片９２は、作業員が、計量ローラー５６とインク着けローラー５２の間の調整を大まかに調整する（例えば、調整装置を較正するとき）ために、アーム６２の第２端部の切り込み８５と整列させるのに用いるマーキングを含んでいる。戻り止めばね９４は、ファスナー９６でばねサポート８８に取り付けられている。戻り止めばね９４は調整ダイヤル８０のＶカット部分８３と係合して、作業員が調整ダイヤル８０を回すときに戻し止め様の感覚を得られるようにしている。更に、この組み合わせは、調整シャフト７０が回転するのを防ぎ、従って、印刷運転中に、計量ローラー５６のインク着けローラー５２に対する調整を変更するのに役立っている。
【００２９】
湿し装置を最初に組み立てるとき、及びその後定期的に、調整装置は較正しなければならない。調整装置は、計量ローラー５６とインク着けローラー５２の間のニップ６０がローラーの長さに沿って均一であり、近位及び遠位側調整装置のゲージリング８２が同じ示度を有しているときに較正される。当業者には理解頂けるように、ローラーの均一性は、ローラーのニップの間のローラーの各端部に紙の条片を配置することによって判定することができる。計量ローラー５６とインク着けローラー５２の間の調整を調整装置で行った後、紙の条片を力ゲージ又は手で引き抜く。紙の条片を両端から均一に引き抜けるようになる（即ち、両方の紙の条片を引き抜く力がほぼ同じになる）まで、この工程が繰り返される。次いで、アーム６２は、ゲージ条片９２の適切なゲージ示度を読み取れるように位置決めし直され、その後ファスナー６４で適所に固定される。その後、ゲージリング８２は、同じ示度を有するように位置決めし直され、ファスナー９８で調整ダイヤル８０の肩部の平滑な部分８１の所定の位置に固定される。
【００３０】
図３に示すように、印刷機１０で印刷しないときは、湿し装置１８の調整装置１７、１９を一杯に調整して、計量ローラー５６をインク着けローラー５２から離す。即ち、調整ダイヤル８０を回して、アーム６２を軸「Ａ」の回りに矢印「Ｄ」の方向に回転させ、ローラー同士を離す。湿し装置が使用されていないときにローラーを離しておくのは、インク着けローラーと計量ローラーの寿命を延ばすのに役立つ。
【００３１】
図５に示すように、作業員が印刷機１０で印刷したい場合は、計量ローラー５６とインク着けローラー５２の間のニップ６０に湿し溶液を加える前に、湿し装置１８の調整装置１７、１９を作動位置に調整する。調整装置を調整するには、調整ダイヤル８０を回して、アーム６２を軸「Ａ」の回りに矢印「Ｃ」の方向に回転させる。最初に、調整ダイヤル８０を、切り込み８５がゲージ条片９２の所定の数字と略整列するように調整し、その後、ゲージリング８２の数字をばねサポート８８のポインター８９と整列させて調整する。
【００３２】
これらの数字は、先に行った印刷から経験によって判断してもよい。アーム６２の切り込み８５が所定の数字と略整列し、ゲージリング８２の数字がばねサポート８８のポインター８９と整列したら、ニップ６０の上方に形成されたリザーバに湿し溶液を加える。計量ローラー５６とインク着けローラー５２の間の調整は、試験用紙が印刷機を通るときに、調整ダイヤル８０を回転させることによって微調整することができる。
【００３３】
図８−９は、図３に示した湿し装置と同様の湿し装置サイドフレームの図を示しているが、別の実施形態の調整装置を含んでいる。
インク着けローラー５２は、プレートシリンダ１６と平行な関係にあり且つ印刷運転中にプレートシリンダ１６と接触可能なように、近位サイドフレーム５４と遠位サイドフレーム（図示せず）によって（例えばボールベアリングで）回転可能に支持されている。計量ローラー５６は、近位サイドフレーム５４と遠位サイドフレーム（図示せず）で回転可能に支持されている偏心カラー５８によって（例えばボールベアリングで）回転可能に支持されている。計量ローラー５６はインク着けローラー５２に隣接して配置され、両者の間にニップ６０が形成されるようになっている。図３−５に関連して先に述べたように、偏心カラー５８を矢印「Ｃ」方向に回すと、計量ローラー５６がインク着けローラー５２に向かって動き、ニップ６０を通過することのできる湿し溶液の量が減り、偏心カラー５８を矢印「Ｄ」方向に回すと、計量ローラー５６がインク着けローラー５２から離れる方向に動き、ニップ６０を通過することのできる湿し溶液の量が増す。
【００３４】
各調整装置は、第１端部と第２端部を有するアーム１６２を含んでいる。アーム１６２の第１端部は、偏心カラー５８の肩部に組み付けられ、ファスナー１６４で所定の位置に締め付けられる割れリング構造を有している。アーム１６２の第２端部には、ねじ付ピボット１６５が取り付けられる交差穴１６３が設けられている。ねじ付ピボット１６５は、交差穴１６３内で自由に回転する。
【００３５】
取り付けバー１６６は、ファスナー１６７でサイドフレーム５４に固定されている。取り付けブロック１６８は、保持リング１７２で所定の位置に固定されているピボットピン１７０で、取り付けバー１６６に回転可能に取り付けられている。取り付けブロック１６８は、ゲージ１７３を含んでおり、交差穴１６９が設けられている。
【００３６】
調整シャフト１７４は、ねじ付き第１端部１７６、溝付き中央部分１７８、及び溝付き第２端部１８０を含んでいる。ねじ付き第１端部１７６は、ねじ付ピボット１６５にねじ込まれている。ねじ付ピボット１６５は、ゲージ１７３と整列させ調整装置を較正するための切り込み１７７を有している。溝付き第２端部１８０は、取り付けブロック１６８の交差穴１６９を貫通して伸張し、調整シャフト１７４の溝付き中央部分１７８に機械加工された溝の中に配置される保持リング１８２によって所定の位置に保持される。平座金１８３は、調整シャフト１７４が回されるとき、保持リング１８２を保護する。波形座金１８５は、調整シャフト１７４を付勢し、取り付けブロック１６８に対して安定して着座させる。
【００３７】
調整ダイヤル１８４は、９０度間隔で形成された４つの戻り止めを有する肩部１８６を含んでいる。第２肩部１８８は、０−３の数字を含んでおり、各数字は１つの戻り止めと整列している。調整ダイヤル１８４は、調整シャフト１７４の溝付き第２端部１８０に取り付けられており、ファスナー１９０で所定の位置に固定されている。
【００３８】
戻り止めばね１９２は、ファスナー１９４で取り付けブロック１６８に取り付けられている。戻り止めばね１９２は、一端に、調整ダイヤル１８４の肩部１８６に形成されている戻り止めと整列する、湾曲した戻り止めを有している。従って、調整ダイヤル１８４を回すと、作業員は「クリック」（戻り止めばね１９２が調整ダイヤル１８４上の各回り止めと噛み合うときの音と感触）の音を聞き、それを感じることができるので、調整が相当容易且つ正確になる。調整ノブ１８４の各「クリック」は、装置の増分調整である。当業者には容易に理解頂けるように、本発明の「クリック」属性を作るのに他の機械的要素を用いることもできる。例えば、戻り止めばね１９２の代わりにばねプランジャを用いてもよい。
【００３９】
図８−９に示す実施形態では、偏心カラー５８の半径方向の偏りは約０．０９４インチであり、アーム１６２の貫通穴の間の中心間距離は約２．０６インチであり、調整シャフト１７４のねじは、５／１６−１８ＵＮＣである。この幾何学的形状配置により、アーム１６２を約２５．９度回転すると、ニップ６０は、インク着けローラー５２と計量ローラー５６の間の圧力は最大圧からゼロになり、これは、取り付けブロック１６８の「０」から「１６」のゲージ１７３で表示される。アーム１６２をこの角度回転させるには、調整シャフト１７４を１６回転させなければならない。肩部１８６には等間隔の４つの戻り止めがあるので、アーム１６２を約２５．９度動かしてニップ６０の間を最小流体通路から最大流体通路にするには、６４回「クリック」することになる。経験によるデータによれば、ゲージ１７３で最も頻繁に用いられる範囲は、「０」から「１０」である。
【００４０】
当業者には理解頂けるように、ゲージ１７３以外のゲージも使用することができる。例えば、「０」から「１６」を含むゲージ、即ち、「０」がニップ６０を通る最小流体経路（即ち最大ニップ６０圧力）に対応し、「１６」がニップ６０を通る最大流体経路（即ち最小ニップ６０圧力）に対応するゲージの替わりに、ゲージは、「０」がニップ６０の間の最小圧力（即ち最大流体経路）に対応し、「４」がニップ６０の間の最大圧力（即ち最小流体経路）に対応する「０」から「４」を含んでいてもよい。
【００４１】
図８−９に示す調整装置を含んでいる湿し装置は、最初に組み立てられるときと、その後定期的に、較正しなければならない。調整装置は、図３−７に示す調整装置に関して先に論じたのと同様の手順に従って較正しなければならない。
【００４２】
図１０は、ねじ２０１が切られ、サイドフレーム５４に回転可能に取り付けられている取り付けブロック２００を含む調整装置の別の実施形態を開示している。調整シャフト２０２は、第１端部に盛り上がった肩部２０４が設けられ、残りの長さの大部分にねじが切られており、第２端部に調整ダイヤル２０６がピン留めされている。凹んだピボット２０８（断面で図示）が、アーム６２（図では近位側の脚部を部分的に取り除いている）の第２端部に取り付けられており、盛り上がった肩部２０４を受け止めるような構造になっているので、計量ローラー５６をインク着けローラー５２に向けて、又はそこから離れる方向に調整するときに、調整シャフト２０２が自由に回転するようになっている。調整シャフト２０２のねじ付き部分は、取り付けブロック２００のねじ付き部分２０１にねじ込まれている。調整ダイヤル２０６を回すことによってアーム６２を調整すれば、計量ローラー５６をインク着けローラー５２に向けて、又はそこから離れる方向に動かすことができる。
【００４３】
図１１は、貫通穴２２１を有しており、サイドフレーム５４に回転可能に取り付けられている取り付けブロック２００を含む調整装置の別の実施形態を開示している。調整シャフト２２２は、第１端部にキー付肩部２２４（例えば方形の頭部）が設けられ、残りの長さの大部分にねじが切られており、第２端部にねじ付き調整ダイヤル２２６が螺合されている。キー付ピボット２２８（断面で示す）は、アーム６２（図では近位側の脚部を部分的に取り除いている）の第２端部に取り付けられており、キー付肩部２２４を受け止めるような構造になっているので、計量ローラー５６をインク着けローラー５２に向けて、又はそこから離れる方向に調整するときに、調整シャフト２２２が回転しないようになっている。調整シャフト２２２のねじ付き部分は、取り付けブロック２２０の貫通穴２２１を貫通している。ねじ付き調整ダイヤル２３６を回すことによってアーム６２を調整すれば、計量ローラー５６をインク着けローラー５２に向けて、又はそこから離れる方向に動かすことができる。
【００４４】
図１２は、ねじ２３１が切られており、サイドフレーム５４に堅く取り付けられている取り付けブロック２３０（例えば、サイドフレーム５４にプレス加工で組み付けられた別体の部品、又はサイドフレーム５４に機械加工されたボス）を含む調整装置の別の実施形態を開示している。調整シャフト２３２は、第１端部に鍋底形の肩部２３４が設けられ、残りの長さの大部分にねじが切られており、第２端部に調整ダイヤル２３６がピン留めされている。アーム６２（図では近位側の脚部を部分的に取り除いている）の第２端部は、鍋底形の肩部２３４を受け止めるような構造になっているので、計量ローラー５６をインク着けローラー５２に向けて、又はそこから離れる方向に調整するときに、調整シャフト２３２が自由に回転するようになっている。調整シャフト２３２のねじ付部分は、取り付けブロック２３０のねじ付部分２３１にねじ込まれる。圧縮ばね２３８は、鍋底形の肩部２３４がアーム６２の第２端部に押し付けられた状態に確実に保持されるように、調整シャフト２３２のアーム６２と取り付けブロック２３０の間に取り付けられている。これは、作業員が計量ローラー５６をインク着けローラー５２から離したいときに役立つ。調整ダイヤル２３６を回すことによってアーム６２を調整すれば、計量ローラー５６をインク着けローラー５２に向けて、又はそこから離れる方向に動かすことができる。
【００４５】
当業者には理解頂けるように、或る調整装置の構成要素を別の調整装置に使用することもできる。例えば、図１２に示す調整装置の圧縮ばね２３８を、図１０に示す調整装置に使用して、調整シャフト２０２の取り付けブロック２００とアーム６２の間に取り付けてもよい。従って、このような調整装置に関する請求項で使用している「のための手段」という用語（３５Ｕ．Ｓ．Ｃ．§１１２¶６）に関して、開示している実施形態、これらの実施形態の要素を組み合わせて作る変形構造、及びその等価物は、包含されるものと考えている。
【００４６】
図１３は、本発明の実施形態を組み込んでいるパン式連続湿し装置２５０の側面図を示している。湿し装置２５０は、ローラーを、印刷機のプレートシリンダ２５４に隣接して支持するための一対のサイドフレーム２５２を含んでいる。インク着けローラー２５６は、サイドフレーム２５２によって回転可能に支持されており、印刷運転中は、プレートシリンダ２５４に押し付けられている。計量ローラー２５８は、サイドフレーム２５２によって回転可能に支持され、インク着けローラー２５６に押し付けられている。パンローラー２６０は、偏心カラー２６２によって回転可能に支持されており、偏心カラーは、サイドフレーム２５２によって回転可能に支持されている。パンローラー２６０は、湿し装置２５０に供給される湿し溶液の量を制御するため、計量ローラー２５８に向けて、又はそこから離れる方向に調整可能に動かすことができる。パンローラー２６０は、印刷運転中は、湿し溶液のパン２６４に部分的に浸かっている。先に図３と、図５−７を参照しながら説明した調整装置と同様の、偏心カラーをシール式連続湿し装置内で調整するための調整装置２６６は、パンローラー２６０を計量ローラー２５８に向けて、又はそこから離れる方向に調整するために、含まれている。
【００４７】
当業者には理解頂けるように、本発明の別の実施形態（図示せず）は、サイドフレーム２５２に回転可能に取り付けられているパンローラー２６０と、サイドフレーム２５２に回転可能に取り付けられている偏心カラー２６２に回転可能に取り付けられている計量ローラー２５８と、計量ローラー２５８をパンローラー２６０に向けて、又はそこから離れる方向に調整するために、偏心カラー２６２に取り付けられている調整装置２６６と、を含んでいる。
【００４８】
技術員が上記発明を市場にある湿し装置に後付けできるようにするため、部品のキットを好都合に作ることもできる。即ち、ローラーを印刷機のプレートシリンダに隣接して支持するための第１サイドフレーム５４と第２サイドフレーム（図１）を含む湿し装置に調整装置を後付けするため、キットを作ることができる。湿し装置は、更に、第１及び第２サイドフレームによってプレートシリンダ１６と平行な関係に回転可能に支持されている第１ローラー５２と、第１及び第２サイドフレームで回転可能に支持されている偏心カラー５８によって回転可能に支持されている第２ローラー５６とを含んでおり、第２ローラー５６は、第２ローラー５６が第１ローラー５２に調整可能に押し付けられるように、第１ローラー５２に隣接している。
【００４９】
図１４に示すように、キットは、以下の構成要素（左側サイドフレームのキットだけを示している）即ち：キット部品２７０を入れるための梱包具；湿し装置の偏心カラー５８へ取り付けるため第１端部と、第２端部とを有するアーム１６２；湿し装置のサイドフレーム５４に取り付けることのできる取り付けバー１６６に取り付け可能な取り付けブロック１６８；第１端部と第２端部を有する調整シャフト１７４であって、調整シャフト１７４の第１端部は、アーム１６２の第２端部に取り付けることのできるねじ付ピボット１６５と螺合させることができ、調整シャフト１７４の第２端部近くの一部は、取り付けブロック１６８に回転可能に取り付けることができるようになっている、調整シャフト１７４；及び、作業員が第２ローラー５６を、第１ローラー５２に向けて、又はそこから離れる方向に調整できるようにするため、調整シャフト１７４の第２端部に取り付けることのできる調整ダイヤル１８４、を含んでいる。キットは、更に、上記構成要素を湿し装置に取り付けるための適切なハードウェアを含んでいる。梱包具には、箱、埋め草、ブリスターボード、収縮包装シート、成形プラスチックパッケージが含まれる。
【００５０】
以上、本発明を好適な実施形態に関して説明してきたが、当業者には容易に理解頂けるように、本発明には、特許請求の範囲に定義する本発明の精神及び範囲から逸脱することなく、様々な変更及び／又は修正を施すことができる。
【図面の簡単な説明】
【００５１】
【図１】本発明の実施形態を組み込んだ印刷機の斜視図である。
【図２】先行技術のシール式連続湿し装置である。
【図３】本発明の実施形態を組み込んでいるシール式連続湿し装置を、図１の３−３線に沿って見た側面図である（本発明の説明を単純化するため、印刷機のサイドフレームと他の構成要素は示していない）。
【図４】図３に示す湿し装置の一部を、図３の４−４線に沿って見た断面図であり、偏心カラーと、関係する構成要素を示している。
【図５】図３に示す湿し装置のサイドフレームの側面図であり、調整装置が計量ローラーをインク着けローラーに向かってほぼ一杯に調整した状態を示している。
【図６】図３に示す湿し装置サイドフレームの斜視図である。
【図７】図６に示すサイドフレームの分解図である。
【図８】別の実施形態の調整装置を含む、図３に示す湿し装置サイドフレームの側面図である。
【図９】図８に示すサイドフレームの分解斜視図である。
【図１０】湿し装置用調整装置の別の実施形態の側面図である。
【図１１】湿し装置用調整装置の又別の実施形態の側面図である。
【図１２】湿し装置用調整装置の又別の実施形態の側面図である。
【図１３】図３に示す調整装置の別の実施形態を含む、パン式連続湿し装置の側面図である。
【図１４】調整装置用のキットである。
【図１】
0004459061.tif 000002
【図２】
0004459061.tif 000003
【図３】
0004459061.tif 000004
【図４】
0004459061.tif 000005
【図５】
0004459061.tif 000006
【図６】
0004459061.tif 000007
【図７】
0004459061.tif 000008
【図８】
0004459061.tif 000009
【図９】
0004459061.tif 000010
【図１０】
0004459061.tif 000011
【図１１】
0004459061.tif 000012
【図１２】
0004459061.tif 000013
【図１３】
0004459061.tif 000014
【図１４】
0004459061.tif 000015